(57)【特許請求の範囲】
【請求項１】
所定の方向に沿って長く延びる第１の開口が設けられているメインウェア本体と、
前記メインウェア本体内に設けられている第１のコネクタであって、前記メインウェア本体内に配置されている第１の電力端子と、電力を供給するように対応する前記第１の電力端子に連結されている第１の電源線と、を有する２つの第１のコネクタと、
前記メインウェア本体に設けられている第１の操作装置であって、前記メインウェア本体に固定されている第１の固定部材と、前記第１の電力端子を前記メインウェア本体の前記第１の開口の長さに沿う方向である長さ方向の外に出させる第１の伸出位置と前記メインウェア本体の前記長さ方向の内側に収納する第１の収納位置との間で往復動させるよう、前記第１の固定部材に対して移動すると共に対応する前記第１の開口から前記メインウェア本体の外表面の外に出るように対応する前記第１のコネクタと連結されている第１の可動部材と、を有する第１の操作装置と、
を備えている
ことを特徴とするコネクタ付ウェア。
【請求項２】
前記メインウェア本体は、２つの袖を有し、前記袖のそれぞれの前記外表面に前記第１の開口が設けられ、
前記第１の固定部材は、対応する前記第１の開口を開閉自在に対応する前記袖に設けられている２つの線ファスナー部材を有し、
前記第１の可動部材は、前記線ファスナー部材に前記長さ方向に沿って往復移動可能に設けられたスライダーと、前記スライダー及び前記第１のコネクタと連結されるように設けられた繋ぎ部材と、を有することを特徴とする請求項１に記載のコネクタ付ウェア。
【請求項３】
前記スライダーは、前記繋ぎ部材によって対応する前記第１の電源線と連結されることを特徴とする請求項２に記載のコネクタ付ウェア。
【請求項４】
前記スライダーは、前記繋ぎ部材によって対応する前記第１の電力端子と連結されることを特徴とする請求項２に記載のコネクタ付ウェア。
【請求項５】
前記メインウェア本体は、２つの袖を有し、前記袖のそれぞれの前記外表面に前記第１の開口が設けられ、
前記第１の固定部材は、対応する前記第１の開口を開閉自在に対応する前記袖に設けられている線ファスナー部材を有し、
前記第１の可動部材は、前記第１の開口を開閉自在に前記線ファスナー部材に往復移動可能に設けられた第１のスライダーと、前記第１のスライダーの前記第１の開口の開閉と逆に開閉するよう前記第１の開口を開閉自在に且つ前記第１のスライダーと相俟って前記線ファスナー部材に往復移動可能に設けられた第２のスライダーと、前記第１のスライダー又は前記第２のスライダーと前記コネクタとに連結されるように設けられた繋ぎ部材と、を有することを特徴とする請求項１に記載のコネクタ付ウェア。
【請求項６】
前記メインウェア本体は、２つの袖を有し、前記袖のそれぞれの前記外表面に前記第１の開口が設けられ、
前記袖は、袖口を有するように前記長さ方向に延びる袖体と、縫製により前記袖体と連結された裏地と、でなり、
前記袖体と前記裏地との間には、前記第１の開口に開放する物入れが設けられ、
前記物入れの前記長さ方向で対向する２つの側壁部には、前記第１の電源線が前記長さ方向沿いに通る出入り口が設けられ、
前記第１のコネクタは、前記第１の電源線が前記出入り口のそれぞれを通ると共に前記第１の電力端子が常に前記長さ方向の外側寄りの前記出入り口の外に出るように前記袖体と前記裏地との間に設けられていることを特徴とする請求項１に記載のコネクタ付ウェア。
【請求項７】
前記スライダーには、連結孔が形成され、
前記第１の可動部材には更に、前記連結孔に通して設けられたプル部材が設けられていることを特徴とする請求項２〜６のいずれかの一項に記載のコネクタ付ウェア。
【請求項８】
前記メインウェア本体内には、電熱装置が設けられ、
前記電熱装置は、複数の前記第１のコネクタと、前記第１のコネクタと電気的に接続された制御部と、電力を供給するように前記制御部に電気的に接続された給電部と、前記制御部と電気的に接続された第１の電熱素子と、を有し、
前記制御部は、前記給電部から電力が供給され、前記第１の電力端子からレベルの異なる複数のパワーを前記第１の電熱素子に出力するよう作動することを特徴とする請求項１〜７のいずれかの一項に記載のコネクタ付ウェア。
【請求項９】
更にサブウェア本体を有し、
前記サブウェア本体は、前記サブウェア本体内に設けられた第２の電熱素子と、前記第２の電熱素子と電気的に接続され、前記第１の電力端子を介して前記制御部が前記電力を前記第２の電熱素子に供給するよう前記第１の伸出位置に移動された前記第１の可動部材に連動して前記袖の前記長さ方向の外に出た前記第１の電力端子が連結される第１のソケット端子と、を有することを特徴とする請求項８に記載のコネクタ付ウェア。
【請求項１０】
前記サブウェア本体は、一対の手袋を有し、
各前記手袋は、手袋本体を有し、前記第２の電熱素子が前記手袋本体内に設けられ、
前記メインウェア本体はその左右両側に更に２つのポケットを有し、
前記電熱装置は更に、前記制御部と電気的に連結され、それぞれ前記ポケットに対応して温めるよう設けられている第３の電熱素子を有し、
前記制御部は、前記第１のソケット端子に前記第１の電力端子が連結されないとき、レベルの異なる複数の前記パワーを前記第３の電熱素子に与えるように設けられた制御チップであることを特徴とする請求項９に記載のコネクタ付ウェア。
【請求項１１】
前記電熱装置は、前記メインウェア本体にその外から操作可能に設けられている入力ユニットを有し、
前記入力ユニットは、前記制御部に電気的に連結されており、前記制御部が前記給電部の電力供給を行うよう開閉する電源スイッチと、前記制御部が前記レベルの異なる複数のパワーを出力するよう開閉する切替スイッチと、を有することを特徴とする請求項１０に記載のコネクタ付ウェア。
【請求項１２】
前記メインウェア本体は更にズボンを有し、
前記サブウェア本体は更に一対の靴下を有し、
前記ズボンは、
２つの脚部を有し、前記脚部のそれぞれの外表面に前記脚部の長さに沿う方向である長さ方向に沿って延びる第２の開口が設けられたズボン本体と、
前記脚部に対応して前記ズボン本体内に設けられている第２のコネクタであって、前記第２のコネクタは、対応する前記脚部内に配置されている第２の電力端子と、前記制御部より電力を供給するように対応する前記第２の電力端子と前記制御部とに連結されている第２の電源線と、を有する２つの第２のコネクタと、
対応する脚部に設けられている第２の操作装置であって、前記第２の操作装置は、対応する前記脚部に固定されている第２の固定部材と、前記第２の電力端子を前記脚部の前記長さ方向の外に出させる第２の伸出位置と前記脚部の前記長さ方向の内側に収納する第２の収納位置との間で往復動させるよう、前記第２の固定部材に対して移動すると共に対応する前記第２の開口から前記脚部の外表面の外に出るように対応する前記第２のコネクタと連結されている第２の可動部材と、を有する第２の操作装置と、
を備え、
各前記靴下は、靴下本体と、前記靴下本体内に設けられた第４の電熱素子と、前記第４の電熱素子と電気的に接続され、前記第２の電力端子を介して前記制御部が前記電力を前記第４の電熱素子に供給するよう前記第２の伸出位置に移動された前記第２の可動部材に連動して前記脚部の前記長さ方向の外に出た前記第２の電力端子が連結される第２のソケット端子と、を有することを特徴とする請求項１０に記載のコネクタ付ウェア。
【請求項１３】
前記電熱装置は、前記ズボン本体にその外から操作可能に設けられている入力ユニットを有し、
前記入力ユニットは、前記制御部に電気的に連結されており、前記制御部が前記給電部の電力供給を行うよう開閉する電源スイッチと、前記制御部が前記レベルの異なる複数のパワーを出力するよう開閉する切替スイッチと、を有することを特徴とする請求項１２に記載のコネクタ付ウェア。
【発明の詳細な説明】
【技術分野】
【０００１】
本発明は、他のコネクタに差し込んで連結することができるコネクタ付ウェアに関する。
【背景技術】
【０００２】
従来、冬季には衣類を厚着したり、または携帯懐炉等を利用して局部的に暖めたりすることにより身体の麻痺を来すような寒気を防いでいる。しかし、いくら厚着をしても零度以下などの寒気を防ぐ事はできず、携帯懐炉もその暖かさは全身にはいたらない。
【０００３】
そこで、図１３に示されているような、身体各部を局部的に加温し、防寒性を向上させる電熱具付衣服９が提案されている（特許文献１参照）。この衣服９はコントローラ９８と連結されている電熱素子９４を備えており、電熱素子９４とコントローラ９８との間に電源線９５が引かれ、また、袖９１の袖口側に開口９７１があって物を入れて収納するポケット９７が設けられている。電源線９５から開口９７１を通じて外に引かれるように延びる延長線９６が設けられ、延長線９６の外端に付いている端子９６１によって例えば手袋９２の端子９２３に差し込んで電気的に連結することができる。これによって電源線９２２を介してコントローラ９８からの電力が供給され、手袋９２の電熱素子９２１が作動して加熱することができる。
【先行技術文献】
【特許文献】
【０００４】
【特許文献１】台湾登録実用新案第Ｍ４３１５８３号明細書
【発明の概要】
【発明が解決しようとする課題】
【０００５】
ユーザーが上記電熱具付衣服９を着用した時には、片手で開口９７１を開けて延長線９６を引き出すことで使用するが、この際に延長線９６が絡まったり、使用後に片手でポケット９７に収納することが難しい問題点などがある。
【０００６】
本発明は、上記問題点に鑑みてなされたものであり、他の端子と接続可能にさせる操作が片手で簡単にすることができるコネクタ付ウェアを提供することを目的とする。
【課題を解決するための手段】
【０００７】
上記目的を達成するために、本発明は、所定の方向に沿って長く延びる第１の開口が設けられているメインウェア本体と、前記メインウェア本体内に設けられている第１のコネクタであって、前記メインウェア本体内に配置されている第１の電力端子、及び電力を供給するように対応する前記第１の電力端子に連結されている第１の電源線を有する２つの第１のコネクタと、前記メインウェア本体に設けられている第１の操作装置であって、前記メインウェアに固定されている第１の固定部材、及び前記第１の電力端子を前記メインウェア本体の前記第１の開口の長さに沿う方向である長さ方向の外に出させる第１の伸出位置と前記メインウェア本体の前記長さ方向の内側に収納する第１の収納位置との間に往復動させるよう、前記第１の固定部材に対して移動すると共に対応する前記第１の開口から前記メインウェア本体の外表面の外に出るように対応する前記第１のコネクタと連結されている第１の可動部材を有する第１の操作装置と、を備えていることを特徴とするコネクタ付ウェアを提供する。
【発明の効果】
【０００８】
本発明に係るコネクタ付ウェアは、第１の固定部材には第１の電力端子をメインウェア本体の長さ方向の外に出させる第１の伸出位置とメインウェア本体の長さ方向の内側に収納する第１の収納位置との間で往復動させるよう、第１の固定部材に対して移動すると共に、対応する第１の開口からメインウェア本体の外表面の外に出るように対応する第１のコネクタと連結されている第１の可動部材が設けられているので、第１の可動部材が第１の固定部材に対して第１の開口を開閉可能に往復移動すると、第１の電力端子が連動してメインウェア本体の長さ方向の外側に引き出されたり、メインウェア本体の長さ方向の内側に収納されたりすることができる。従って、片手操作によって第１の電力端子を簡単に引き出したり収納したりすることができる。
【図面の簡単な説明】
【０００９】
【図１】本発明に係るコネクタ付ウェアを概略的に示す正面図である。
【図２】コネクタ付ウェアにおける電熱装置の構成を概略的に示すブロック図である。
【図３】実施例１のコネクタ付ウェアの一部を拡大して示す図である。
【図４】図３における線ＩＶ−ＩＶの断面図である。
【図５】実施例１に係るコネクタ付ウェアにおいて第１の電力端子が袖口の外側に引き出された状態を示す断面図である。
【図６】実施例２のコネクタ付ウェアの一部を拡大して示す断面図である。
【図７】実施例２に係るコネクタ付ウェアにおいて第１の電力端子が袖口の外側に引き出された状態を示す断面図である。
【図８】実施例３のコネクタ付ウェアの一部を拡大して示す図である。
【図９】実施例３に係るコネクタ付ウェアにおいて第１の電力端子が袖口の外側に引き出された状態を示す断面図である。
【図１０】実施例４のコネクタ付ウェアを概略的に示す正面図である。
【図１１】実施例４のコネクタ付ウェアの一部を拡大して示す断面図である。
【図１２】実施例４に係るコネクタ付ウェアにおいて第１の電力端子がズボンの長さ方向の裾口の外側に引き出された状態を示す断面図である。
【図１３】従来のコネクタ付ウェアを概略的に示す正面図である。
【発明を実施するための形態】
【００１０】
以下、本発明の実施形態を図面を参照して詳細に説明する。なお、以下の説明において、そのサイズに拘わらず、略同一の機能及び構成を有する構成要素については、同一符号を付し、重複説明は必要な場合にのみ行う。
【００１１】
（実施例１）
図１に示すように、本発明の一実施例によるコネクタ付ウェア１００は、例えばジャケットの形をした上着であるメインウェア本体１０と、例えば一対（図１では１つのみ図示する）の手袋であるサブウェア本体２０と、メインウェア本体１０に配置されている電熱装置３０と、メインウェア本体１０に設けられた第１の操作装置４０と、を備えている。
【００１２】
メインウェア本体１０は、図１に示されているように、２つの袖１１を有し、袖１１のそれぞれの外表面１１５には、袖１１の長さに沿う方向である長さ方向に沿って延びる第１の開口１１６が設けられている。袖１１は、袖口１１２を有するように長さ方向に延びる袖体１１１と、縫製により袖体１１１と連結された裏地１１３と、でなり、袖体１１１と裏地１１３との間には、第１の開口１１６に開放する物入れ１１４が設けられている。物入れ１１４の長さ方向で対向する２つの側壁部には出入り口１１７、１１７が設けられている。なお、本例において、メインウェア本体１０はジャケット或いはジャンプスーツなどの上着であってもよく、上記に限らないことは言うまでもない。
【００１３】
この例では、メインウェア本体１０は、その左右両側に更に２つのポケット１２、１２を有する。
【００１４】
各サブウェア本体２０は、例えば一対の手袋であり、手袋本体２１と、手袋本体２１内に設けられた第２の電熱素子２２と、第２の電熱素子２２と電気的に接続されている第１のソケット端子２３と、を有する。また、サブウェア本体２０は、この例では手袋を用いて説明しているが、帽子、マフラーなどであってもよい。
【００１５】
電熱装置３０は、複数の第１のコネクタ３１と、第１のコネクタ３１と電気的に接続された制御部３２と、電力を供給するように制御部３２に電気的に接続された給電部３６と、制御部３２と電気的に接続された第１の電熱素子３４と、制御部３２と電気的に連結され、それぞれがポケット１２、１２に対応して該ポケット１２を温めるよう設けられている第３の電熱素子３５と、メインウェア本体１０にその外から操作可能に設けられている入力ユニット３３と、を有する。
【００１６】
入力ユニット３３は、制御部３２に電気的に連結されており、制御部３２が給電部３６の電力供給を行ったり止めたりするよう開閉する電源スイッチ３３１と、制御部３２がレベルの異なる複数のパワーを出力するよう開閉する切替スイッチ３３２と、を有する。制御部３２は、電源スイッチ３３１の開閉により給電部３６の電力を第１の電熱素子３４へ供給するよう制御し、切替スイッチ３３２の開閉によりレベルの異なる複数のパワーを第２の電熱素子２２に出力するよう制御する。なお、電源スイッチ３３１及び切替スイッチ３３２は、プッシュタイプ或いはつまみタイプなどのスイッチである。
【００１７】
第１のコネクタ３１は、袖１１に対応してメインウェア本体１０内に設けられており、対応する袖１１内に配置されている第１の電力端子３１１と、電力を供給するように対応する第１の電力端子３１１と連結され、物入れ１１４の出入り口１１７、１１７を通るよう設けられている第１の電源線３１２と、を有する。
【００１８】
なお、第１のコネクタ３１は、第１の電源線３１２が出入り口１１７のそれぞれを通ると共に第１の電力端子３１１が常に長さ方向で外側寄りの出入り口１１７の外に出るように袖体１１１と裏地１１３との間に設けられている。第１の電力端子３１１としては、常に袖口１１２側の出入り口１１７の外にあるように出入り口１１７の直径よりも太いものを用いる。
【００１９】
制御部３２は、給電部３６からの電力を第１の電源線３１２を介して第１の電力端子３１１側に出力し、またメインウェア本体１０を温めて異なる保温状態に保持可能にレベルの異なる複数のパワーを第１の電熱素子３４側に出力するよう作動する。また、制御部３２は、ポケット１２を異なる保温状態に保持可能にレベルの異なる複数のパワーを第３の電熱素子３５に出力するよう作動する。
【００２０】
制御部３２は、この例では、レベルの異なる複数のパワーを出力して、メインウェア本体１０或いはポケット１２が違う温度に保持されるよう第１の電熱素子３４或いは第３の電熱素子３５に与えるように作動する制御チップである。
【００２１】
給電部３６は、例えば電池パックであり、制御部３２により電池パックの一定の電力を１００％、７５％、５０％又は２５％などに切り替えてレベルの異なるパワーを出力する。
【００２２】
第１の操作装置４０は、対応する袖１１内に設けられており、対応する袖１１に固定されている第１の固定部材４１と、第１の電力端子３１１を袖１１の長さ方向の外に出させる第１の伸出位置（図５参照）と袖１１の長さ方向の内側に収納する第１の収納位置（図４参照）との間で往復移動させるよう、第１の固定部材４１に対して移動すると共に対応する第１の開口１１６から袖１１の外表面の外に出るように対応する第１のコネクタ３１と連結されている第１の可動部材４２と、を有する。
【００２３】
第１の固定部材４１は、第１の開口１１６を開閉自在に互いに嵌合することができるように対応する袖１１に設けられている２つの線ファスナー部材４１１、４１１を有する。
【００２４】
第１の可動部材４２は、第１の開口１１６が開閉可能に第１の固定部材４１に対してその長さ方向に沿って往復移動可能に設けられたスライダー４２１と、スライダー４２１及び第１のコネクタ３１と連結されるように設けられた繋ぎ部材４２２と、を有する。なお、スライダー４２１は、繋ぎ部材４２２によって対応する第１の電源線３１２又は第１の電力端子３１１と連結される。
【００２５】
また、第１の可動部材４２としては、第１の開口１１６を開閉自在に第１の固定部材４１に往復移動可能に設けられた第１のスライダー４２１ａと、第１のスライダー４２１ａの第１の開口１１６の開閉の向きと逆向きに開閉するよう第１の開口１１６を開閉自在に且つ第１のスライダー４２１ａと相俟って第１の固定部材４１に対してその長さ方向に沿って往復移動可能に設けられた第２のスライダー４２１ｂと、第１のスライダー４２１ａ又は第２のスライダー４２１ｂと第１のコネクタ３１とに連結されるように設けられた繋ぎ部材４２２と、を有する。
【００２６】
スライダー４２１、又は第１のスライダー４２１ａ及び第２のスライダー４２１ｂのいずれかには、連結孔４２３が形成され、第１の可動部材４２には更に、連結孔４２３に通して設けられた例えば紐などであるプル部材４３が設けられている。これによって、プル部材４３を引けば、第１の開口１１６を開閉可能にスライダー４２１、又は第１のスライダー４２１ａと第２のスライダー４２１ｂとを往復移動させることができる。
【００２７】
サブウェア本体２０の第１のソケット端子２３は、この例では、第１のソケット端子２３を介して制御部３２が電力を第２の電熱素子２２に供給するよう第１の伸出位置に移動された第１の可動部材４２に連動して袖１１の長さ方向の外に出た第１の電力端子３１１と連結可能に設けられている。
【００２８】
以上のように構成されたコネクタ付ウェア１００の動作及び作用を以下に説明する。
【００２９】
図１及び図２に示されているように、ユーザーは本発明に係るメインウェア本体１０或いは／及びサブウェア本体２０を備えているコネクタ付ウェア１００を着用したとき、制御部３２によって第１の電熱素子３４に電池パック３６からの電力を供給するように入力ユニット３３の電源スイッチ３３１を押すと、第１の電熱素子３４が作動され、メインウェア本体１０を所定の保温状態に保持することができる。
【００３０】
第２の電熱素子２２が作動されて加熱し、サブウェア本体２０を温める場合、給電部３６の電力が第１のコネクタ３１の第１の電力端子３１１からサブウェア本体２０の第２の電熱素子２２に供給されるよう、第１の操作装置４０の第１の可動部材４２を引いて袖口１１２側に移動させると、繋ぎ部材４２２によって第１の電力端子３１１が連動して第１の伸出位置側である袖口１１２の外側に突き出される（図５参照）。このようにすれば、第１の電力端子３１１をサブウェア本体２０の第１のソケット端子２３に差し込むことができる。これによって、制御部３２によって第１の電力端子３１１、第１のソケット端子２３を介して第２の電熱素子２２に電力が供給され、第２の電熱素子２２が作動されて加熱し、サブウェア本体２０を保温状態に保持することができる。
【００３１】
以上により、本発明に係るコネクタ付ウェア１００によれば、ユーザーは片手で第１の可動部材４２を操作して第１の電力端子３１１が袖１１の長さ方向の外側に引き出されると、例えばサブウェア本体２０などのソケット端子に抜き差し可能に連結されることによって電気的に接続されることができるので、電熱素子が作動されて加熱することができる。また、第１の可動部材４２によって第１の開口１１６を随時閉じることができるので、コネクタ付ウェア１００の気密性、水密性を高めることができる。
【００３２】
また、第１のソケット端子２３に第１の電力端子３１１が連結されない場合、代わりに自動的に第３の電熱素子３５が加熱作動できるよう制御部３２が第３の電熱素子３５に電力を供給するように構成すると、両手を第３の電熱素子３５によって温まったポケット１２内に入れて温めることができる。
【００３３】
また、入力ユニット３３の切替スイッチ３３２を操作すると、メインウェア本体１０、サブウェア本体２０或いはポケット１２の温度を変えて、所定の保温状態にすることができる。例えば、切替スイッチ３３２を押すごとに給電部３６の所定パワーを例えば所定パワーの２５％、５０％、７５％、１００％、・・・出力可能に変更するようにすることができる。これによって、ウェアをユーザーの望ましい保温状態に保持することができる。
【００３４】
（実施例２）
図６、図７は、本発明に係るコネクタ付ウェアの実施例２を示す図である。以下、これらの図を図１と合わせて参照して本発明のコネクタ付ウェアの実施例２について説明するが、前述した実施例との相違点を中心に説明し、同様の事項はその説明を省略する。
【００３５】
この実施例２においては、第１の操作装置４０の構成が上記実施例１と異なる。本実施例の第１の操作装置４０は、第１の固定部材４１の第１の開口１１６の袖口１１２寄りの一側と逆の他側にそれぞれ袖１１内に設けられた通孔４４１付きの取付リング４４を有する。
【００３６】
第１の可動部材４２は、各取付リング４４の通孔４４１を通って設けられたリング状の可動紐４２４と、可動紐４２４と固定されている紐などのプル部材４２５と、可動紐４２４と第１の電源線３１２とを連結させるように設けられた繋ぎ部材４２２と、を有する。プル部材４２５は、袖１１の外から操作可能に第１の開口１１６の外に延び出るように設けられている。
【００３７】
以上のように構成されたコネクタ付ウェア１００は、プル部材４２５を片手で握って第１の開口１１６の長さ方向に沿って袖口１１２から離れる側に動かすと、第１の可動部材４２は第１の電力端子３１１が袖口１１２の外に出る第１の伸出位置に移動されて、可動紐４２４が連動し繋ぎ部材４２２を介して第１の電源線３１２も連動して第１の電力端子３１１が袖口１１２の外に突き出ることができる。これによって第１の電力端子３１１がサブウェア本体２０の第１のソケット端子２３などに抜き差し可能に連結されることができる。
【００３８】
（実施例３）
図８、図９は、本発明に係るコネクタ付ウェアの実施例３を示す図である。本例では、図示のように、第１の可動部材４２は、プル部材４２５が繋ぎ部材４２２によって第１のコネクタ３１と連結されている。
【００３９】
このようにすれば、プル部材４２５を片手で握って袖口１１２側に動かすことで、第１の電力端子３１１を袖口１１２の外に突き出すようにすることができ、上記の実施例と同様な効果を得ることができる。
【００４０】
（実施例４）
本発明に係るコネクタ付ウェア１００において、メインウェア本体１０として、上着のみならず、ズボンにも適用され、またサブウェア本体２０として、手袋のみならず、靴下にも適用される。図１０、図１１、図１２は、本発明に係るコネクタ付ウェアの実施例４を示す図である。
【００４１】
本発明に係るコネクタ付ウェア１００は、更にズボン５０と一対の靴下６０とを有し、ズボン５０の左右２つの脚部５１には第２のコネクタ３７と、第２の操作装置７０と、が設けられている。
【００４２】
脚部５１のそれぞれの外表面５２には、脚部５１の長さに沿う方向である長さ方向に沿って延びる第２の開口５３が設けられている。
【００４３】
第２のコネクタ３７は、各脚部５１に対応してズボン５０内に設けられており、対応する脚部５１内に配置されている第２の電力端子３８と、制御部３２より電力を供給するように対応する第２の電力端子３８と制御部３２とに連結されている第２の電源線３９と、を有する。なお、ズボン５０には、図１１、図１２に示されているように、裏地１１３と、物入れ１１４と、出入り口１１７と、が設けられている。また、第２の電力端子３８がズボン５０の裾口から簡単に突き出されるよう第２の開口５３は、ズボン５０の靴下寄りの裾口側に設けられることが好ましい。
【００４４】
第２の操作装置７０は、対応する脚部５１に設けられており、対応する脚部５１に固定されている第２の固定部材７１と、第２の電力端子３８を脚部５１の長さ方向の外に出させる第２の伸出位置（図１２参照）と脚部５１の長さ方向の内側に収納する第２の収納位置（図１１参照）との間で往復動させるよう、第２の固定部材７１に対して移動すると共に対応する第２の開口５３から脚部５１の外表面５２の外に出るように対応する第２のコネクタ３７と連結されている第２の可動部材７２と、を有する。
【００４５】
各靴下６０は、靴下本体６１と、靴下本体６１内に設けられた第４の電熱素子６２と、第４の電熱素子６２と電気的に接続され、電力を制御部３２から第２の電力端子３８を介して第４の電熱素子６２に供給するよう、第２の伸出位置に移動された第２の可動部材７２に連動して脚部５１の長さ方向の外に出た第２の電力端子３８に連結される第２のソケット端子６３と、を有する。
【００４６】
以上のように構成された本例では、第２の電力端子３８が第２のソケット端子６３に差し込んで連結されると、第２の電力端子３８より供給された電力で第４の電熱素子６２が作動して加熱される。一方、第２の電力端子３８が第２のソケット端子６３から抜かれて連結されないとき、ズボン５０の例えばポケットに配置された他の電熱素子が作動するよう通電するように構成されると、ズボン５０が所定の温度に保持されることができる。
【００４７】
また、ズボン５０には入力ユニット３３が設けられてもよい。これによって、制御部３２によって電源スイッチ３３１の開閉により給電部３６の電力がズボン５０の電熱素子に供給され、切替スイッチ３３２の開閉によりレベルの異なる複数のパワーを第４の電熱素子６２に出力するよう制御する。このようにズボン５０又は靴下６０を保温状態に保持することができる。
【００４８】
以上のように、本発明に係るコネクタ付ウェアによれば、片手で操作してコネクタを引き出して他のコネクタに差し込んで連結させることができるので、使い勝手がよいコネクタ付ウェアが得られる。
【００４９】
上述のごとく、図面を参照してこの発明のいくつかの実施例を説明したが、本発明は、図示した実施例に限定されるものではない。本発明と同一の範囲内において、または均等の範囲内において、図示した実施形態に対して種々の変更を加えることが可能である。
【００５０】
例えば、第２の電熱素子２２、第４の電熱素子６２などは、腹巻、帽子や靴などに設けられてもよく、上記の例に限定されないことは言うまでもない。
【産業上の利用可能性】
【００５１】
本発明に係るコネクタ付ウェアは、寒冷地などでの寒さを凌ぐためのコネクタ付ウェアとして有用である。
【符号の説明】
【００５２】
１００  コネクタ付ウェア              ３８  第２の電力端子
１０  メインウェア本体                ３９  第２の電源線
１１  袖                              ４０  第１の操作装置
１１１  袖体                          ４１  第１の固定部材
１１２  袖口                          ４１１  線ファスナー部材
１１３  裏地                          ４２  第１の可動部材
１１４  物入れ                        ４２１  スライダー
１１５  外表面                        ４２１ａ  第１のスライダー
１１６  第１の開口                    ４２１ｂ  第２のスライダー
１１７  出入り口                      ４２２  繋ぎ部材
１２  ポケット                        ４２３  連結孔
２０  サブウェア本体                  ４２４  可動紐
２１  手袋本体                        ４２５  プル部材
２２  第２の電熱素子                  ４３  プル部材
２３  第１のソケット端子              ４４  取付リング
３０  電熱装置                        ４４１  通孔
３１  第１のコネクタ                  ５０  ズボン
３１１  第１の電力端子                ５１  脚部
３１２  第１の電源線                  ５２  外表面
３２  制御部                          ５３  第２の開口
３３  入力ユニット                    ６０  靴下
３３１  電源スイッチ                  ６１  靴下本体
３３２  切替スイッチ                  ６２  第４の電熱素子
３４  第１の電熱素子                  ６３  第２のソケット端子
３５  第３の電熱素子                  ７０  第２の操作装置
３６  給電部                          ７１  第２の固定部材
３７  第２のコネクタ                  ７２  第２の可動部材
【図１】
0005420090.tif 000002
【図２】
0005420090.tif 000003
【図３】
0005420090.tif 000004
【図４】
0005420090.tif 000005
【図５】
0005420090.tif 000006
【図６】
0005420090.tif 000007
【図７】
0005420090.tif 000008
【図８】
0005420090.tif 000009
【図９】
0005420090.tif 000010
【図１０】
0005420090.tif 000011
【図１１】
0005420090.tif 000012
【図１２】
0005420090.tif 000013
【図１３】
0005420090.tif 000014